(57)【要約】【課題】携帯電話、ＰＤＡ及び携帯式ビデオ・オーディオプレーヤーなどに使用できて、立体効果を有するプラスチックカバー体を提供すること。【解決手段】光透過性を有するプラスチック板（１１）を備え、該プラスチック板（１１）の内面に、所定の間隔で孔が形成される光透過を有する薄膜層（１２）と、反射性を有するバック層（１３）とが順に設けられ、該バック層（１３）には、薄膜層（１２）に形成される孔の配置に応じて凹凸模様が形成される。【選択図】図２
0003127241.tif 000002
【実用新案登録請求の範囲】
【請求項１】
光透過性を有するプラスチック板（１１）を備え、
該プラスチック板（１１）の内面に、所定の間隔で孔が形成される光透過を有する薄膜層（１２）と、反射性を有するバック層（１３）とが順に設けられ、
該バック層（１３）には、薄膜層（１２）に形成される孔の配置に応じて凹凸模様が形成されることを特徴とするプラスチックカバー体。
【請求項２】
前記バック層（１３）における、プラスチック板（１１）側の表面に、凹凸模様が形成されることを特徴とする請求項１に記載のプラスチックカバー体。
【請求項３】
前記バック層（１３）における、プラスチック板（１１）側の表面に、前記薄膜層（１２）を覆う複数の凹部（１３１）が形成されると共に、前記複数の孔が配置される位置に、プラスチック板（１１）の内面に結合する凸部（１３２）が形成されることを特徴とする請求項１又は２に記載のプラスチックカバー体。
【考案の詳細な説明】
【技術分野】
【０００１】
本考案は、携帯電話、ＰＤＡ及び携帯式ビデオ・オーディオプレーヤーなどに使用されるプラスチックカバー体に関し、より詳細には立体効果を有するプラスチックカバー体に関するものである。
【背景技術】
【０００２】
科学技術の進歩により、近年では、携帯電話、ＰＤＡ及び携帯式ビデオ・オーディオプレーヤーなどが普及してきていることから、各製造メーカーは、前記製品のカバー体の研究及び設計に力を入れて、独自性をより強め、若者の購買意欲を高めるよう日々努力している。
【０００３】
図５及び図６に示すように、従来の携帯電話などの携帯式３C製品に使用されるプラスチックカバー体（９０）は、凹凸模様をシールにより転写することにより、プラスチック板（９１）の表面にプリント層（９２）を形成すると共に、該プリント層（９２）の表面に保護作用を有する透明膜（９３）を被覆し、或いは凹凸模様を、プラスチックカバー体（９０）の射出成形用モールドにプリントして一体に形成する。
これらの方法によれば、携帯式３C製品のプラスチックカバー体（９０）の表面に凹凸模様を形成できると共に、該プラスチックカバー体（９０）のプリント層（９２）は凹凸状を呈するので、立体効果を提供できる。
また、前記以外にも、例えば、台湾実用新案公告第５４４０７７号「立体パターンを有する携帯電話用カバー体」（特許文献１）、台湾実用新案公告第５８６４９２号「立体模様の光を発することができる装飾板の構造」（特許文献２）及び台湾実用新案証書番号第M２６５２１８号「光を発する立体模様の成形構造」（特許文献３）などが出願されている。
【０００４】
【特許文献１】台湾実用新案公告第５４４０７７号
【特許文献２】台湾実用新案公告第５８６４９２号
【特許文献３】台湾実用新案証書番号第M２６５２１８号
【考案の開示】
【考案が解決しようとする課題】
【０００５】
しかしながら、前記した従来の携帯式３C製品に使用されるプラスチックカバー体（９０）は、単に該プラスチックカバー体（９０）の表面に凹凸模様を有するプリント層（９２）を設けただけであり、該プリント層（９２）は、使用中や携帯中に摩擦や衝突により容易に破損したり、剥落したりするので、携帯式３C製品の外観を損ねる恐れがあると共に、立体効果も提供できなくなる上、該立体効果には限りがある。
更には、プラスチックカバー体（９０）の表面が平坦でない場合には、握持した時の質感を損ねてしまう恐れがある。
そして、前記台湾実用新案公告第５４４０７７号「立体パターンを有する携帯電話用カバー体」、台湾実用新案公告第５８６４９２号「立体模様の光を発することができる装飾板の構造」及び台湾実用新案証書番号第M２６５２１８号「光を発する立体模様の成形構造」は、プラスチックカバー体の表面にレーザー反射光プリント層を設ける方式を採用しているが、この方式でも、立体効果が有効的に発揮できないと共に、依然としてレーザー反射光プリント層も破損或いは剥落し易いので、結果的に握持した時の質感を損ねてしまう。
【課題を解決するための手段】
【０００６】
本考案に係る請求項１は、光透過性を有するプラスチック板（１１）を備え、該プラスチック板（１１）の内面に、所定の間隔で孔が形成される光透過を有する薄膜層（１２）と、反射性を有するバック層（１３）とが順に設けられ、該バック層（１３）には、薄膜層（１２）に形成される孔の配置に応じて凹凸模様が形成されることを特徴とするプラスチックカバー体を提供するものであり、
本考案に係る請求項２は、前記バック層（１３）における、プラスチック板（１１）側の表面に、凹凸模様が形成されることを特徴とする請求項１に記載のプラスチックカバー体を提供するものであり、
本考案に係る請求項３は、前記バック層（１３）における、プラスチック板（１１）側の表面に、前記薄膜層（１２）を覆う複数の凹部（１３１）が形成されると共に、前記複数の孔が配置される位置に、プラスチック板（１１）の内面に結合する凸部（１３２）が形成されることを特徴とする請求項１又は２に記載のプラスチックカバー体を提供するものである。
【考案の効果】
【０００７】
本考案は上記の構成のように、光透過性を有するプラスチック板を備え、該プラスチック板の内面に、所定の間隔で孔が形成される光透過を有する薄膜層と、反射性を有するバック層とが順に設けられ、該バック層には、薄膜層に形成される孔の配置に応じて凹凸模様が形成され、該バック層における、プラスチック板側の表面に、凹凸模様が形成され、該バック層における、プラスチック板側の表面に、前記薄膜層を覆う複数の凹部が形成されると共に、前記複数の孔が配置される位置に、プラスチック板の内面に結合する凸部が形成されるので、以下に示すような効果がある。
＜１＞本考案に係るプラスチックカバー体は、光透過性を有するプラスチック板を備え、該プラスチック板の内面に、所定の間隔で孔が形成される光透過を有する薄膜層と、反射性を有するバック層とが順に設けられ、該バック層には、薄膜層に形成される孔の配置に応じて凹凸模様が形成され、それら薄膜層及び光透過性のプラスチック板には屈折作用を有することから、プラスチックカバー体に優れた立体効果を持たせることができるので、消費者の購買意欲をより高めることができる。
＜２＞本考案における薄膜層及びバック層は、優れた構造強度を有するプラスチック板の内面に設けられることから、該薄膜層及びバック層に対して優れた保護作用を有するので、使用中や携帯中に摩擦や衝突、落下により、薄膜層及び背面が破損したり、剥落したりすることはない。故に、携帯式３C製品の美観を常に維持することができる。
＜３＞本考案の製造工程は、作業工程がスムーズであると共に、簡便性に優れ、プラスチックカバー体は、優れた立体効果を発揮できるだけでなく、携帯式３C製品に使用されるプラスチックカバー体に立体パターンを設けるコストを低減できるので、販売競争力を高めることができる。
【考案を実施するための最良の形態】
【０００８】
以下、添付図面を参照して本考案の好適な実施の形態を詳細に説明する。
【実施例】
【０００９】
図１は本考案に係るプラスチックカバー体の製造工程のフローであり、図２は本考案に係るプラスチックカバー体の一部側面断面図であり、図３は本考案に係るプラスチックカバー体の一部拡大斜視図であり、図４は本考案に係るプラスチックカバー体の使用状態を示す斜視図である。
【００１０】
図１に示すように、本考案に係る立体効果を有するプラスチックカバー体（１０）の製造工程の流れは、以下の通りである。
A
透明或いは半透明の光透過性を有するプラスチックのプラスチック板（１１）を準備し、３Cの製品の設計に基づいて、該プラスチックのプラスチック板（１１）の形状及び規格を決定する。尚、該形状及び規格は特に限定されるものではない。
B
前記光透過性を有するプラスチックのプラスチック板（１１）の内面には、所定の間隔で開口部（１２１）を有する薄膜層（１２）を、プラスチック板（１１）の内面における該開口部（１２１）を遮蔽しないように塗布成形する。
Ｃ
印刷成形により、前記薄膜層（１２）及び開口部（１２１）の表面に反射性を有するバック層（１３）を設けると共に、油膜の流動性により凹凸部を形成し、更に設計に基づいて、プラスチック板（１１）側のバック層（１３）の表面に凹凸模様を形成し、この時、該凹凸模様と合うように該バック層（１３）を薄膜層（１２）の開口部（１２１）に設ける。
D
最後に、簡単な修整を施し、所定の間隔で成形された薄膜層（１２）及び凹凸状のバック層（１３）を完成させて、前記プラスチックのプラスチック板（１１）の屈折作用を発揮させ、優れた立体効果を有するプラスチックカバー体（１０）を完成させる。
【００１１】
図２及び図３に示すように、本考案の立体効果を有するプラスチックカバー体（１０）は、光透過性のプラスチック板（１１）を有し、該プラスチック板（１１）の内面に所定の間隔で薄膜層（１２）及び該プラスチック板（１１）側の表面に、例えば凹凸模様を有するバック層（１３）が設けられ、また、該バック層（１３）に立体の凹凸模様が設けられることにより、薄膜層（１２）を覆う複数の凹部（１３１）が形成され、更に、前記複数の開口部（１２１）は、プラスチック板（１１）の内面における凸部（１３２）と結合する構成を有する。尚、図４は、本考案のプラスチックカバー体（１０）を携帯電話（５０）に適用した状態を示す斜視図である。
【００１２】
図２乃至図４に示すように、本考案では、前記バック層（１３）の凹凸模様、所定の間隔で設けられる、開口部（１２１）を有する薄膜層（１２）、及び光透過性のプラスチック板（１１）の屈折効果を利用して、プラスチックカバー体（１０）に、優れた立体効果を発生させると同時に、該薄膜層（１２）及びバック層（１３）は、構造強度に優れた光透過性のプラスチック板（１１）の内面に設けられることから、良好な保護効果を有するので、携帯式３C製品の美観を常に維持することができる。
【００１３】
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００１４】
【図１】本考案に係るプラスチックカバー体の製造工程のフローである。
【図２】本考案に係るプラスチックカバー体の一部側面断面図である。
【図３】本考案に係るプラスチックカバー体の一部拡大斜視図である。
【図４】本考案に係るプラスチックカバー体の使用状態を示す斜視図である。
【図５】従来のプラスチックカバー体の側面断面図である。
【図６】従来のプラスチックカバー体の使用状態を示す斜視図である。
【符号の説明】
【００１５】
１０        プラスチックカバー体
１１        プラスチック板
１２        薄膜層
１２１      開口部
１３        バック層
１３１      凹部
１３２      凸部
５０        携帯電話
９０        プラスチックカバー体
９１        プラスチック板
９２        プリント層
９３        透明膜
【図１】
0003127241.tif 000003
【図２】
0003127241.tif 000004
【図３】
0003127241.tif 000005
【図４】
0003127241.tif 000006
【図５】
0003127241.tif 000007
【図６】
0003127241.tif 000008